(57)【特許請求の範囲】
【請求項１】
近距離無線による送受信機能を有する、列車の券売機と、
この券売機との送受信が可能な近距離無線送受信機能内蔵の携帯電話とから成る乗車券発売システムであって、
前記携帯電話から目的駅の情報を前記券売機に送信する手段と、
この手段により送信された目的駅の情報に基づき前記券売機が現在ユーザがいる駅から前記目的駅までの区間に該当する乗車料金の表示を行う手段とを備えて成ることを特徴とする、近距離無線機能を用いた乗車券発売の画面表示システム。
【請求項２】
近距離無線送受信機能を内蔵する携帯電話から目的駅の情報を送信する手段と、
この手段により送信された目的駅の情報を券売機において受信する手段と、
前記携帯電話を所持するユーザにより前記券売機に初期画面の設定を指示されると前記目的駅まで乗車する場合に適切な乗車料金表示の設定画面を前記券売機に表示する手段とから成ることを特徴とする、近距離無線機能を用いた乗車券発売の画面表示システム。
【請求項３】
近距離無線送受信機能を内蔵する携帯電話から目的駅の情報を送信する手段と、
この手段により送信された目的駅の情報を券売機において受信する手段と、
この手段により受信した目的駅と前記ユーザがいる駅の間の区間の乗車料金を計算する手段と、
前記携帯電話を所持するユーザにより前記券売機に初期画面の設定を指示されると前記目的駅まで乗車する場合の前記乗車料金を前記券売機の画面に表示する手段とから成ることを特徴とする、近距離無線機能を用いた乗車券発売の画面表示システム。
【請求項４】
近距離無線送受信機能を内蔵する携帯電話から送信された目的駅の情報を受信する手段と、
前記携帯電話を所持するユーザにより前記券売機に初期画面の設定を指示されると前記目的駅まで乗車する場合に適切な乗車料金表示の設定画面を表示する手段とから成ることを特徴とする、近距離無線機能を用いた乗車券発売の券売機。
【請求項５】
近距離無線送受信機能を内蔵する携帯電話から目的駅の情報を送信するステップと、
このステップにより送信された目的駅の情報を受信し、この情報に基づく現在ユーザがいる駅から前記目的駅までの区間の乗車料金を計算するステップと、
このステップにより計算された乗車料金を表示するステップとを有することを特徴とする近距離無線機能を用いた乗車券発売の画面表示方法。
【請求項６】
近距離無線送受信機能を内蔵する携帯電話から目的駅の情報を送信するステップと、
このステップにより送信された目的駅の情報を券売機において受信するステップと、
前記携帯電話を所持するユーザにより前記券売機に初期画面の設定を指示されると前記目的駅まで乗車する場合に適切な乗車料金表示の設定画面を前記券売機に表示するステップとから成ることを特徴とする、近距離無線機能を用いた乗車券発売の画面表示方法。
【請求項７】
近距離無線送受信機能を内蔵する携帯電話から目的駅の情報を送信するステップと、
このステップにより送信された目的駅の情報を券売機において受信するステップと、
このステップにより受信した目的駅と前記ユーザがいる駅の間の区間の乗車料金を計算するステップと、
前記携帯電話を所持するユーザにより前記券売機に初期画面の設定を指示されると前記目的駅まで乗車する場合の前記乗車料金を前記券売機の画面に表示するステップとから成ることを特徴とする、近距離無線機能を用いた乗車券発売の画面表示方法。
【請求項８】
列車の駅構内に設けられた近距離無線による送信機能を有する送信機と、
この送信機から送信された駅に関するガイド情報を受信する近距離無線受信機能を有する携帯電話と、
前記送信機から送信された前記ガイド情報を前記携帯電話により受信しこれを所持するユーザに提示する手段とから成る近距離無線機能を用いた駅構内のガイドシステム。
【請求項９】
前記携帯電話は、受信したガイド情報のうち乗車区間情報に関連する情報を所持するユーザに提示する機能を有することを特徴とする請求項８に記載の駅構内のガイドシステム。
【請求項１０】
前記ユーザに提示する手段は、前記携帯電話の画面上に表示する手段であり、提示される一部は音声にてもなされることを特徴とする請求項８又は９いずれか１に記載の駅構内のガイドシステム。
【発明の詳細な説明】
【０００１】
【発明の属する技術分野】
本発明は、券売機により乗車券を買う場合の乗車券発売の画面表示システムなどに関する。
【０００２】
【従来の技術】
各鉄道の駅の券売機は、その会社の路線や線区に対応して、種々の初期画面を表示させて購入を促している。乗車券を購入したい利用者にとって、この初期画面から目的とする駅や路線を探し出すのは容易ではなかった。
【０００３】
特に、慣れない鉄道会社の駅であったり、券売機の前が混雑している場合は、特に券売機によって乗車券を買うことの不慣れな高齢者ではどの行列に並んだらよいかわからなかったり、自分に購入の順番が回ってきたときも、目的駅を探すのに苦労することが多かった。また視覚障害者などは、券売機の初期画面を見ることができないため乗車券の購入に時間がかかり、一層、混雑することもある。
【０００４】
また乗車券を購入して駅構内に入り目的のホームにたどり着いたとしても、到着した列車に表示されている最終駅名を見ただけでは、その電車にのってよいかどうか判断できない場合が多く、更に最近は無人駅が増えてきており、乗ってよいかどうかを駅員に確認できない場合も増加している。
【０００５】
【発明が解決しようとする課題】
本発明は、上述のような従来の問題点に鑑みてなされたもので、乗車券を買う場合に、円滑に購入でき、また駅構内においてもとまどうことの少ない、乗車券発売の画面表示方法や駅構内のガイドシステムなどを提供することを目的とする。
【０００６】
【課題を解決するための手段】
上記目的を達成するために、本発明の請求項１によれば、近距離無線による送受信機能を有する、列車の券売機と、この券売機との送受信が可能な近距離無線送受信機能内蔵の携帯電話とから成る乗車券発売システムであって、前記携帯電話から目的駅の情報を前記券売機に送信する手段と、この手段により送信された目的駅の情報に基づき前記券売機が現在ユーザがいる駅から前記目的駅までの区間に該当する乗車料金の表示を行う手段とを備えてなることを特徴とする、近距離無線機能を用いた乗車券発売の画面表示システムを提供する。
【０００７】
本発明の請求項２によれば、近距離無線送受信機能を内蔵する携帯電話から目的駅の情報を送信する手段と、この手段により送信された目的駅の情報を券売機において受信する手段と、前記携帯電話を所持するユーザにより前記券売機に初期画面の設定を指示されると前記目的駅まで乗車する場合に適切な乗車料金表示の設定画面を前記券売機に表示する手段とから成ることを特徴とする、近距離無線機能を用いた乗車券発売の画面表示システムを提供する。
【０００８】
本発明の請求項３によれば、近距離無線送受信機能を内蔵する携帯電話から目的駅の情報を送信する手段と、この手段により送信された目的駅の情報を券売機において受信する手段と、この手段により受信した目的駅と前記ユーザがいる駅の間の区間の乗車料金を計算する手段と、前記携帯電話を所持するユーザにより前記券売機に初期画面の設定を指示されると前記目的駅まで乗車する場合の前記乗車料金を前記券売機の画面に表示する手段とから成ることを特徴とする、近距離無線機能を用いた乗車券発売の画面表示システムを提供する。
【０００９】
本発明の請求項４によれば、近距離無線送受信機能を内蔵する携帯電話から送信された目的駅の情報を受信する手段と、前記携帯電話を所持するユーザにより前記券売機に初期画面の設定を指示されると前記目的駅まで乗車する場合に適切な乗車料金表示の設定画面を表示する手段とから成ることを特徴とする、近距離無線機能を用いた乗車券発売の券売機を提供する。
【００１０】
本発明の請求項５によれば、近距離無線送受信機能を内蔵する携帯電話から目的駅の情報を送信するステップと、このステップにより送信された目的駅の情報を受信し、この情報に基づく現在ユーザがいる駅から前記目的駅までの区間の乗車料金を計算するステップと、このステップにより計算された乗車料金を表示するステップとを有することを特徴とする近距離無線機能を用いた乗車券発売の画面表示方法を提供する。
【００１１】
本発明の請求項６によれば、近距離無線送受信機能を内蔵する携帯電話から目的駅の情報を送信するステップと、このステップにより送信された目的駅の情報を券売機において受信するステップと、前記携帯電話を所持するユーザにより前記券売機に初期画面の設定を指示されると前記目的駅まで乗車する場合に適切な乗車料金表示の設定画面を前記券売機に表示するステップとから成ることを特徴とする、近距離無線機能を用いた乗車券発売の画面表示方法を提供する。
【００１２】
本発明の請求項７によれば、近距離無線送受信機能を内蔵する携帯電話から目的駅の情報を送信するステップと、このステップにより送信された目的駅の情報を券売機において受信するステップと、このステップにより受信した目的駅と前記ユーザがいる駅の間の区間の乗車料金を計算するステップと、前記携帯電話を所持するユーザにより前記券売機に初期画面の設定を指示されると前記目的駅まで乗車する場合の前記乗車料金を前記券売機の画面に表示するステップとから成ることを特徴とする、近距離無線機能を用いた乗車券発売の画面表示方法を提供する。
【００１３】
本発明の請求項８によれば、列車の駅構内に設けられた近距離無線による送信機能を有する送信機と、この送信機から送信された駅に関するガイド情報を受信する近距離無線受信機能を有する携帯電話と、前記送信機から送信された前記ガイド情報を前記携帯電話により受信しこれを所持するユーザに提示する手段とから成る近距離無線機能を用いた駅構内のガイドシステムを提供する。
【００１４】
本発明の請求項９によれば、請求項８に記載の駅構内のガイドシステムにおいて、前記携帯電話は、受信したガイド情報のうち乗車区間情報に関連する情報を所持するユーザに提示する機能を有することを特徴とする。
【００１５】
本発明の請求項１０によれば、請求項８又は９いずれか１に記載の駅構内のガイドシステムにおいて、前記ユーザに提示する手段は、前記携帯電話の画面上に表示する手段であり、提示される一部は音声にてもなされることを特徴とする。
【００１６】
【発明の実施の形態】
以下、本発明において近距離無線機能としてブルートゥースを用いる実施形態について図面を用いて説明する。
【００１７】
本発明の一実施形態おける携帯電話側の処理手順を図１に示し、券売機側の処理手順を図２に示す。
【００１８】
利用者は、例えば「道案内Ｗｅｂサイト」に照会して、あるいは他の手段によって予め目的の駅を入力しておく。この目的駅の情報は、携帯電話に内蔵する記憶機能により記録され保持されている。それらの機能を有しない携帯電話の場合でも、直接、目的の駅情報を携帯電話に入力する手段を用いて入力されるものとする。
【００１９】
この場合携帯電話は、例えば図３に示すように、ブルートゥース通信機能付き携帯電話３００は、ブルートゥースなどの近距離無線通信機能を使用して外部との情報の送受信を行うブルートゥース通信部３０１と、電話機本来の通信機能である電話回線送受信部３０２と、各種情報処理を行う処理部３０３と、「道案内Ｗｅｂサイト」に照会し取得又は他の手段によって得た乗車予定や目的駅などの情報を記録しておく記録部３０４と、利用者による各種指示を受け付ける操作部３０５と、情報の表示を行う表示部３０６とから成る。
【００２０】
一方、券売機のシステムは、図４に示すように処理部が構成されている。即ち、ブルートゥースなどの近距離無線通信機能付き券売機４００は、ブルートゥースなどの近距離無線通信機能付き携帯電話３００との通信を行うブルートゥースなどの近距離無線通信部４０１と、初期画面の表示などを行う表示部４０２と、発券、料金計算、金銭受領などを行う券売部４０３と、各種制御を行う処理制御部４０４と、路線の各区間の料金情報を格納する路線別乗車料金データベース４０５とから構成されている。
【００２１】
まず、ステップＳ１０１において利用者は、その目的駅の確認を携帯電話に対して行う。利用者による目的駅の確認は、操作部３０５への指示によって記録部３０４から情報を読み出して目的駅名を表示させ、確認を求めたり、あるいは目的駅名を直接入力させるなどにより行う。
【００２２】
目的駅の確認が終わるとステップＳ１０２において、携帯電話３００のブルートゥース通信部３０１は、ブルートゥースなどの近距離無線通信機能を有する券売機や案内用機器からの送信信号の受信を待ち、何らかの受信があった場合にはステップＳ１０３に進む。
【００２３】
一方、券売機のシステムでは、利用者が「初期画面設定ボタン」を押すことから処理が始まる。この初期画面設定ボタンは、ブルートゥースなどの近距離無線通信機能を持つ券売機に備えられ、ブルートゥース通信機能付き携帯電話３００と情報交換を可能にする機能を有している。このボタンが押されることにより以下の処理が開始される。
【００２４】
ステップＳ２０１において、ブルートゥース通信機能付き携帯電話３００に対して「問いかけ」を送信する。ステップＳ２０２では、その「問いかけ」に対するブルートゥース通信機能付き携帯電話３００から応答があるかを調べ、応答がなければステップＳ２０１に戻り、「問いかけ」を続ける。
【００２５】
ブルートゥース通信機能付き携帯電話３００から応答があった場合にはステップＳ２０３に進み、そのブルートゥース通信機能付き携帯電話３００に対して目的駅の情報受信を行うことになる。
【００２６】
ブルートゥース通信機能付き券売機４００は、ブルートゥース通信機能付き携帯電話３００に目的駅の情報送信を要求してその応答を待つ。
【００２７】
ブルートゥース通信機能付き携帯電話３００では、ステップＳ１０３において、受信情報がブルートゥース通信機能付き券売機４００から送信された情報であればステップＳ１０４に進んで目的駅の送信を行うが、他の案内用機器から送信された情報であればステップＳ１０６に進む。
【００２８】
ステップＳ１０４では、ブルートゥース通信機能付き券売機４００にステップＳ１０１において確認した目的駅をブルートゥース通信部３０１から送信し終了する。
【００２９】
この目的駅の送信で、ブルートゥース通信機能付き携帯電話３００の処理は終了し、利用者は目的に合った券売機の初期画面の表示を見ることができ、すぐに乗車券を購入することができる。
【００３０】
一方、ステップＳ１０５では、受信情報が駅構内の各案内用機器から送信された案内情報であるかを調べる。案内情報でなければそれを無視して終了するが、案内用機器からの駅構内の案内情報であればその表示のためにステップＳ１０７に進む。
【００３１】
ステップＳ１０６では、ブルートゥース通信部３０１で駅構内の案内情報を受信し、ステップＳ１０７においてそれを表示部３０６により表示する。
【００３２】
この場合の案内情報は、駅構内の各所に配置・設置されたブルートゥースなどの近距離無線通信機能を有する案内用機器からの一斉配信情報であり、例えば通路や階段、プラットホームなどにおいて、発車、到着する列車や電車の番線や時刻などを含めて随時配信されている。利用者（乗降客）はこの案内情報を利用することにより、乗り換えなどを容易に行うことができる。
【００３３】
ブルートゥース通信機能付き券売機４００では、ステップＳ２０３においてブルートゥース通信機能付き携帯電話３００から目的駅の情報をブルートゥース通信部４０１で受信する。ステップＳ２０４では、処理制御部４０４が目的駅までの路線の乗車料金を路線別乗車料金情報データベース４０５から取得する。
【００３４】
ステップＳ２０５で、その路線の経路や乗車料金を示した初期画面を選択し、表示部４０２によりその初期画面を表示する。次にステップＳ２０６では券売部４０３により乗車券の発券と販売を行う。
【００３５】
ところで、上述の本発明の実施形態ではブルートゥース通信機能付き携帯電話３００とブルートゥース通信機能付き券売機４００は「初期画面設定ボタン」の押下から交信を始めることとした。しかし、予めブルートゥース通信機能付き券売機４００側から目的駅までの乗車料金の情報を送信させておき、ブルートゥース通信機能付き携帯電話３００において利用者が券売機の前に来る以前に図５の表示例５０１のように表示させることもできる。
【００３６】
この場合、ブルートゥース通信機能付き券売機４００とブルートゥース通信機能付き携帯電話３００が、予め、「初期画面設定ボタン」の押下の前に交信し、目的駅までの乗車料金の情報を送受信する。本発明のこの実施形態によれば、利用者が券売機の前に来るより以前、例えば行列に並んでいる状態において既に目的地までの乗車料金を知りそのお金を用意できるという効果がある。
【００３７】
また、券売機とは別に乗車料金の案内をする機器を設置しても良い。
【００３８】
上述の本発明の実施形態においては、ブルートゥースを用いて券売機と携帯電話の間で情報を送受信を行う場合について述べたが、これに限らず一般的には、近距離無線により情報の送受信をおこなうことができればよい。
【００３９】
上述の本発明の実施形態においては述べなかったが、近距離無線により、携帯電話から券売機にあるいは、券売機から該当する携帯電話に情報を送信するとき、他の携帯電話と識別する必要がある場合には、携帯電話固有のＩＤ番号など、識別番号を用いることができる。
【００４０】
本発明における各種案内の配信情報については、駅構内では図６に示す表示例６０１のように、発車する列車や電車の行き先、発車時刻、発車番線などの情報がある。
また携帯電話の表示部がグラフィックス表示機能を有していれば、図７の表示例７０１に示すように、地図上に利用者がいる位置を現在位置として示し、駅構内の案内を、具体的地図を使って行うことができる。
【００４１】
ところで、上述の本発明の実施形態では、携帯電話や券売機などの情報提示を表示部をを用いて行ったが、一般的には携帯電話を所持しているユーザが認識できる方法ならばどのような提示方法であってもよい。
【００４２】
また、表示によりユーザに知らせるとしても、文字あるいは地図などの表示だけでなく、音声合成機能を持たせて、重要な情報は音声でも知らせ注意を喚起するようにすれば、視覚障害者など表示だけの場合よりも、利用者に伝わる情報が増えて、駅構内の案内など木目細かく、情報を提供することができる。
【００４３】
本発明により、券売機と交信することのできる携帯電話を使って、目的とする駅を示し、券売機の初期画面をそれに合わせたものに変更・設定させることができる。また、同通信機能を利用した駅構内での各種案内情報の配信と受信を行うことにより、乗降客の便宜を図ることも可能となる。
【００４４】
【発明の効果】
以上説明したように、本発明によれば、乗車券を買う場合に円滑に購入でき、また駅構内においても、とまどうことの少ない、乗車券発売の画面表示方法や駅構内のガイドシステムなどを得ることができる。
【図面の簡単な説明】
【図１】本発明の一実施形態におけるブルートゥース通信機能付き携帯電話の動作手順を説明するための図。
【図２】本発明の一実施形態における券売機の動作手順を説明するための図。
【図３】本発明の一実施形態におけるブルートゥース通信機能付き携帯電話の構成例を示す図。
【図４】本発明の一実施形態における券売機の構成を示す図。
【図５】本発明一実施形態の携帯電話の表示画面例を説明するための図。
【図６】本発明一実施形態の携帯電話の他の表示画面例を説明するための図。
【図７】本発明一実施形態の携帯電話の他の表示画面例を説明するための図。
【符号の説明】
３００・・・ブルートゥース通信機能付き携帯電話、３０１・・・ブルートゥース通信部、３０２・・・電話回線送受信部、３０３・・・処理部、３０４・・・記録部、３０５・・・操作部、３０６・・・表示部、４００・・・ブルートゥース通信機能付き券売機、４０１・・・ブルートゥース通信部、４０２・・・表示部、４０３・・・券売部、４０４・・・処理制御部、４０５・・・路線別乗車料金情報データベース、。
【図１】
0003728404.tif 000002
【図２】
0003728404.tif 000003
【図３】
0003728404.tif 000004
【図４】
0003728404.tif 000005
【図５】
0003728404.tif 000006
【図６】
0003728404.tif 000007
【図７】
0003728404.tif 000008